(57)【要約】【課題】コンパクトな形状を可能にする単純な構造をしており、かつ本線電圧による動作時でも最大値が実質的に一つしかない光ビームを供給する、アクセント照明を作り出すために適した電気ランプ、を提供すること。【解決手段】電気ランプは、第一光生成部分(31)と第二光生成部分(32)とを凹形反射器(2)内に有する光源(3)を有する。この反射器は、対称軸(20)と、（この対称軸(20)に平行な光軸23と24とを各々有する）第一反射器部分(21)と第二反射器部分(22)とを有する。各反射器部分(21, 22)は、その光軸(23, 24)の大部分を取り囲んでいる。光源部分(31, 32)は、各々、個別の光軸(23, 24)部と合致する。ランプは、最大値を1つしか有さないビームを生ずる。
2004523070.tif 000002
【特許請求の範囲】
【請求項１】
対称軸を有する、主要形状を有する凹形反射器と、
前記反射器内に気密に閉じられているランプ容器と、
第一光生成部分と第二光生成部分とを前記ランプ容器内に有する光源であって、当該第一部分と当該第二部分とが、互いに近接して構成され、かつ前記反射器の前記軸の一方側に配置され、かつ、前記ランプ容器から当該容器の端の外部に至る電流導体に接続されている光源と、
が設けられている電気ランプにおいて、
前記反射器が、第一反射器部分と第二反射器部分とを有し、
前記第一反射器部分と前記第二反射器部分とが、各々、前記対称軸に実質的に平行な光軸とを各々有し、かつ、各々が、それらの各光軸を実質的に取り囲み、かつ、
前記第一光生成部分と前記第二光生成部分とが、各々、当該第一光軸と当該第二光軸と少なくとも部分的に合致する、ことを特徴とする電気ランプ。
【請求項２】
前記反射器が、前記光源を少なくとも実質的に横方向に取り囲んでいることを特徴とする、請求項1に記載の電気ランプ。
【請求項３】
前記ランプ容器が、ハロゲンを有するガスを含み、かつ、前記光源が白熱体であることを特徴とする、請求項1または請求項2に記載の電気ランプ。
【請求項４】
前記光源が、V字形であることを特徴とする、請求項3に記載の電気ランプ。
【請求項５】
前記反射器が、反射被覆が設けられている成形されたガラス体であることを特徴とする、請求項3に記載の電気ランプ。
【請求項６】
前記反射器が、円板によって閉じられている光放出窓を有することを特徴とする、請求項5に記載の電気ランプ。
【請求項７】
前記反射器が、円形の突出している縁を前記光放出窓の周りに有することを特徴とする、請求項5に記載の電気ランプ。
【請求項８】
セグメントが、前記反射器の前記主要形状の上に重ね合せられていることを特徴とする、請求項5に記載の電気ランプ。
【発明の詳細な説明】
【技術分野】
【０００１】
この発明は、
対称軸を有する、主要形状を有する凹形反射器と、
前記反射器内に気密に閉じられているランプ容器と、
第一光生成部分と第二光生成部分とを前記ランプ容器内に有する光源であって、当該第一部分と当該第二部分とが、互いに近接して配置され、かつ前記反射器の前記軸の一方側に構成され、かつ、前記ランプ容器から当該容器の端の外部に至る電流導体に接続されている光源と、
が設けられている電気ランプに関する。
【背景技術】
【０００２】
このような電気ランプは、フランス特許第1,096,668号により知られている。
【０００３】
この公知の電気ランプは、平行に構成されている2つのフィラメント部を有する、別々の球形の反射器内に設置されている白熱ランプである。このランプは、この特許明細書によると、特に自動車のヘッドライトの使用に適している。この公知のランプの欠点は、光束内に2つの最大値が有る光ビームが供給されるので、輝度が等しい2つの箇所が、光ビームを横切るように設置されている遮壁上に、互いにある距離をおいて近接して発生してしまうことである。これは、アクセント照明を提供するように設計されているランプの場合、許容することが出来ない。
【０００４】
最大値を一つしか有さない光ビームを作ることは実際に可能だが、この場合、光源は、例えば、対称軸上に配列するなどのように、線上になければならない。この欠点は、商用電源電圧による動作に適するようにするには、ランプ寸法が相対的に大きくなってしまい、かつ、反射器も大きくしなければならないことである。線形の光源を軸方向に配置する場合、光電源を横方向において実質的に完全に取り囲むことが出来るように、反射器を深くしなければならない。更に、この場合、電流導体を、光源の横に戻さなければならず、これは影を発生させてしまう。横向きに構成する場合、反射器を非常に広くしなければならないため、光ビームの最大値は、細長く、相対的に低くなってしまうであろう。
【０００５】
最大値が1つしかない光ビームの作成は、フィラメントを多段折り畳み式に配置させることによっても可能である。しかしながら、これは、ランプ構造が複雑になってしまい、かつ、フィラメントを折り畳まれている状態を保つために必要な支持部により発生するフィラメント内の多くの相対的に低温の箇所によって、発光効率が相対的に低くなってしまうことを意味する。
【０００６】
【特許文献１】
フランス特許第1,096,668号
【発明の開示】
【課題を解決するための手段】
【０００７】
本発明の目的は、コンパクトな形状を可能にする単純な構造をしており、かつ主電源電圧による動作時でも最大値が実質的に一つしかない光ビームを供給する、アクセント照明を作り出すために適した第一段落に説明した種類の電気ランプ、を提供することである。
【０００８】
本発明によると、この目的は、反射器が、第一と第二の反射器部分を有し、
これらの第一反射器部分と第二反射器部分が、各々、対称軸と実質的に平行な光軸を有し、かつ、各々が、それらの個別の光軸を実質的に取り囲み、かつ、
第一光生成部分と第二光生成部分とが、各々、当該第一光軸と当該第二光軸と少なくとも部分的に合致することによって達成される。
【０００９】
本発明によるランプの場合、光源の第一光生成部分と第二光生成部分は、各々、光源部分を実質的に取り囲み、かつ、この各部分からの光をビームに整形する、それら自身の反射器部分を有する。これらのビーム部分は、実質的に合致し、かつ、ビームを横切るように設置されている遮壁上に、照射の最大値を1つ有する光点を1つ形成する。光源部分により、それ自体の反射器部分に向けて放射されていない光であって、他の反射器部分に当たってしまう光は、失われず、ビームに加わってしまうであろう。この光によって、対称軸に対して増大する角度を囲む方向の光束が、徐々に減小してしまう。これには、更に、反射器の光放出窓により、反射器とは反対のあらゆる方向に直接放射されることによって、前もって反射することなく遮壁に当たってしまう光が、加わる。この反射していない光の比率は、反射器が光源を取り囲む空間角度の値に左右される。この空間角度が大きい程、すなわち換言すると、反射器が深くなる程、反射していない光の比率は小さくなる。反射器が光源を少なくとも実質的に横方向に取り囲んでいる場合、このことは、ビーム内の光束を相対的に高くするために有利である。
【００１０】
本発明によるランプは、一般的に、その最大値方向からその半値方向（すなわち、光束が、対称軸方向のそれと比較して半分の値を有する、対称軸に関する方向）に向けて、実質的になめらかな輪郭を有する一方、局所的な副次的極大値が存在しない光ビームを有するであろう。
【００１１】
反射器部分は、各々、光源の関連している光生成部分を実質的に取り囲んでいるため、これらの光軸は、相互距離を有しており、かつ対称軸に対して、この半分の距離を有している。一般的に、光軸の相互距離は、mmオーダの範囲（例えば、2〜8 mmの間）にある。これは、とりわけ、光源の光生成部分を相対的に近接させることによって、ランプ製造時に光源をランプ容器に導入することが可能となり、かつ、これらの部分を近接させて設置することによって熱損失を低減させ、相対的に高い発光効率を得ることが可能となるという事実によるものである。
【００１２】
反射器部分は、様々な形状を有することが出来る。これらを、例えば、パラボラ状に湾曲させることが出来る。これに代えて、これらを、各々、幾つかのパラボラ部から成る湾曲した回転体とすることも出来る。反射器部分を滑らかにしたり、または、その上にセグメント（例えば、軸線方向を向いているセグメント）を重ね合せることも出来る。幅が相対的に狭い光ビーム、幅がより広い光ビーム、または幅が相対的に広い光ビームが望ましいか否かに応じて、このセグメントを、光軸を横切る平面または凸面にすることが出来る。光源の光生成部分の位置に対する公差を得るためにも、平面セグメントが通常は有利である。これに代えて、反射器部分に切り子面を作ることも出来る。
【００１３】
光源は、白熱体にすることが出来る。これは、タングステン・ハロゲン・サイクルをランプ内で発生させることによって、ランプ寿命の間、発光効率を高くし、かつルーメンを維持するためのハロゲンを有するガス内に存在させることが好ましい。この場合、このランプは、石英ガラス、硬質ガラス、またはセラミック物質（例えば、焼結させた酸化アルミニウム）から作ることが出来る。
【００１４】
光源の光生成部分は、実質的に互いに平行になるように（例えば、各々が、各反射器部分の光軸と実質的に合致するように）構成することが出来る。これに代えて、これらの部分を、V字形構成にする（例えば、Vの底部を光放出窓に最も近い部分の一部にする）ことも出来る。この構成の場合、これに必要な支持部が1つのみであることが好ましい。支持部が1つしかなく、その支持部の端がT形である場合、光源を、これに代えて、（例えば、平行または分岐した脚部を有する）実質的なU形にすることも出来る。
【００１５】
本発明によるランプのランプ容器は、ランプ自体が反射器を支持するように、ある種の形状と反射層とを、例えば、外面に有することが出来る。これに代えて、ランプがハロゲン白熱ランプである場合、反射器を構成するように成形されかつ構成されている、例えば、吹き込み形の、例えば、ガラス製の外側のバルブ内に、ランプ容器を収めることが出来る。
【００１６】
ランプ容器またはバルブの外側に光反射性を与える適用可能なものとして、例えば、アルミニウムまたは銀で作られている金属層、またはこれに代えて、高屈折率の層（例えば、Ta2O5, Si3N4）と低屈折率の層（例えば、SiO2）とを交互に積み重ねて、二色性の鏡を形成させたものを挙げることが出来る。
【００１７】
この反射器は、ランプ容器がその中に設けられている分離体にすることも出来る。ランプ容器が、取り外しが出来ないように反射器に接続されていると、有利である。この場合、ランプ製造時に、光源を反射器内に位置合わせされた状態に固定することによって、反射器に対する光源の光生成部分の位置を確保することが出来る。反射器は、金属体にすることも出来る。しかしながら、電気安全性のためには、反射器は電気絶縁体にすることが好ましい。反射器は、例えば、溶解したガラスを型によって所望の形状に押圧し、かつ、例えば、内部表面上の上述した層のような光を反射させる層を設けることによって得られる、相対的に高い熱負荷抵抗を得るためのガラス体であることが好ましい。
【００１８】
有利な変更態様の場合、反射器は、円板によって閉じられている光放出窓を有する。この実施例は、例えば、ランプ容器が破裂した場合に、例えば、隣接している可燃性の物体への引火を防止するなど、安全性を向上させる。この円板は、必要な場合、例えば、生じた光を誘導または拡散するためのプリズム構造体または粗い表面による光学的効果を有することが出来る。
【００１９】
前出の変更態様に組み合せることが出来る別の変更態様の場合、反射器は、円形の突出した縁を光放出窓の周りに有する。この変更態様の利点は、ランプが正面図において丸い形状をしているため、ホルダ内の丸い開口部、またはランプがその中に設置されている照明器具に融合し、正面図において従来のランプに類似していることである。
【００２０】
ランプをランプソケットに固定させ、かつ接触させるために、ランプキャップ（例えば、エジソンランプキャップまたは差し込みピンランプキャップ（例えば、蛍光灯用の始動装置に通常使用されている接触ピンのような、その自由端の部分が厚くなっている接触ピン、を有する差し込みランプキャップ））を反射器に設置することが出来る。
【発明を実施するための最良の形態】
【００２１】
本発明による電気ランプの実施例が、図面に示されている。
【００２２】
図1の場合、電気ランプは、気密に閉じられているランプ容器1と、対称軸20を有する主要形状の凹形反射器2とを有する。
【００２３】
第一光生成部分31と第二光生成部分32とを有する光源3は、反射器2内のランプ容器1内に存在する。これらの第一部分31と第二部分32は、反射器2の軸20の各側に、互いに近接して配置されている。光源3は、ランプ容器1から当該容器の端10の外側に至る電流導体33に接続されている。
【００２４】
反射器2は、対称軸20と実質的に平行な光軸23, 24を各々有し、かつ、各光軸23, 24を各々実質的に取り囲む、第一反射器部分21と第二反射器部分22とを有する。第一光生成部分31と第二光生成部分32は、各々、少なくとも部分的に第一光軸23と第二光軸24と合致する。
【００２５】
反射器2は、少なくとも実質的に、光源3を横方向に取り囲む。図1の光源3は、反射器2の完全に内部に存在する。
【００２６】
図1のランプ容器1は、石英ガラスで作られており、かつ、ハロゲンと、不活性ガスと、臭化水素とを有するガスを含んでいる一方、光源3は、タングステンの白熱体である。ランプ容器1は、光源3の支持部34がその中に固定されているピンチ加工によって、その端10が閉じられている。
【００２７】
反射器2は、円板27によって閉じられている光放出窓26を有する。
【００２８】
光源3は、支持部34と電流導体33とによって、V字形構成に配置されている。V字形構成の底部35は、光放出窓26に最も近接している。
【００２９】
反射器2は、図中のSiO2とNb2O5とによる交互層によって作られた反射被覆25が設けられている、成形加工されたガラス体である。
【００３０】
反射器2は、光放出窓26の周りに、円形の突出した縁28を有する（図2を参照）。
【００３１】
セグメント29（その僅かな部分しか図示されていない）は、反射器2の主要形状の上に重ね合せられている。
【００３２】
ランプは、ピン接触部40を有するランプキャップ4を有する。
【００３３】
図示されている電気ランプの実施例の場合、反射器2の最大直径は約65 mmであり、かつ、230 Vによる動作時のランプ消費電力は50 Wである。反射器部分21, 22の光軸23, 24は、互いに約3 mm離れている。
【００３４】
このランプは、図3に示されている、最大値Mを有する光ビームを生成する。図4は、比較のために、従来の反射器における同じ構成の類似した光源の光ビームを示している。この従来の反射器は、本発明によるランプの反射器と同様に湾曲している回転体であり、光軸（これは、従って、同時にこのランプの対称軸でもある）を取り囲んでいる。
【００３５】
図3と図4との比較から、図4の従来の反射器が、同じオーダの大きさの2つの最大値M, M'を有する2つの光ビームを放出していることは明らかである。これらの最大値は、非常に離れていて、このビームは、これらの最大値の間にMの約1/4の値を有する。これに対し、本発明による電気ランプの反射器は、1つの最大値Mしか有しておらず、しかもこの最大値MからMの1/2をはるかに越えた箇所に至るまで滑らかな曲線を有するビームを形成する。
【００３６】
本発明による電気ランプは、アクセント照明の作成に適している。これは、構造が単純であるため、コンパクトな設計が可能になる。
【図面の簡単な説明】
【００３７】
【図１】主に軸方向の断面図による反射器を有する電気ランプの側面図を示す。
【図２】図1の線Iに沿って得られた反射器の正面図である。
【図３】図1のランプの光ビームを表す。
【図４】本発明に対応していないランプの光ビームを表す。
【符号の説明】
【００３８】
1…ランプ容器
2…反射器
3…光源
4…ランプキャップ
10…ランプ容器の端
20…対称軸
21…第一反射器部分
22…第二反射器部分
23…第一光軸
24…第二光軸
25…反射被覆
26…光放出窓
27…円板
28…縁
29…セグメント
31…第一光生成部分
32…第二光生成部分
33…電流導体
34…支持部
35…V字形構成の底部
40…ピン接触部
M…最大値
【図１】
2004523070.tif 000003
【図２】
2004523070.tif 000004
【図３】
2004523070.tif 000005
【図４】
2004523070.tif 000006
【国際公開パンフレット】
2004523070.tif 000007
2004523070.tif 000008
2004523070.tif 000009
2004523070.tif 000010
2004523070.tif 000011
2004523070.tif 000012
2004523070.tif 000013
2004523070.tif 000014
2004523070.tif 000015
2004523070.tif 000016
2004523070.tif 000017
2004523070.tif 000018
【国際調査報告】
2004523070.tif 000019
2004523070.tif 000020
2004523070.tif 000021